(57)【特許請求の範囲】
【請求項１】
物体側から順に、正の屈折力を有する第１レンズ、負の屈折力を有する第２レンズ、正の屈折力を有する第３レンズ、負の屈折力を有する第４レンズ、負の屈折力を有する第５レンズが配置され且つ、以下の条件式（１）〜（４）を満足することを特徴とする撮像レンズ。
１．７５≦ｎｄ１≦１．８４                                              （１）
０．１９５≦ｄ１／ｆ≦０．２１０                                        （２）
０．２００≦（ｎｄ１／Ｒ１）／ｆ≦０．２１０                            （３）
０．０３５≦（ｎｄ１／Ｒ２）／ｆ≦０．０６０                            （４）
但し、
ｎｄ１：第１レンズのｄ線の屈折率
ｄ１：第１レンズの中心厚
ｆ：レンズ系全体の焦点距離
Ｒ１：第１レンズの物体側面の曲率半径
Ｒ２：第１レンズの像面側面の曲率半径
である。
【請求項２】
以下の条件式（５）〜（６）を満足することを特徴とする請求項１記載の撮像レンズ。
０．５０≦ｆ１／ｆ≦０．６０                                            （５）
−１．１０≦ｆ２／ｆ≦−１．００                                        （６）
但し、
ｆ：レンズ系全体の焦点距離
ｆ１：第１レンズの焦点距離
ｆ２：第２レンズの焦点距離
である。
【発明の詳細な説明】
【技術分野】
【０００１】
本発明は、撮像レンズに関する発明であり特にドライバーモニタリングシステムまたは室内モニタリングシステムで人を監視する際に、近赤外光で良好な光学特性を有し、小型で、明るいＦ値（以下、Ｆｎｏとする）を有する５枚のレンズで構成される撮像レンズに関する発明である。
【背景技術】
【０００２】
近年、自動運転に必要となるドライバーモニタリングシステムでは運転者を撮影し、画像から運転者の頭の動き、瞼の開き具合、視線の向き、行為（喫煙・携帯通話）などを検出し警告するシステムが開発されている。その他にも室内モニタリングシステムでは後部座席の乗員姿勢、ベビーベッドの有無、子供の不注意によるシートベルトを外すなどを検出し警告するシステムが開発されている。これらのモニタリングシステムで運転者・乗員を監視するために近赤外光で良好な光学特性を有し、カメラの存在感を減らすために小型で、夜間でも明瞭にモニタリング可能である明るいＦｎｏを有する撮像レンズが求められている。
【０００３】
特許文献１の実施例に開示された撮像レンズは、物体側から順に正の屈折力を有する第１レンズ、負の屈折力を有する第２レンズ、正の屈折力を有する第３レンズ、正の屈折力を有する第４レンズで構成された近赤外光で良好な光学特性を有する撮像レンズが提案されているが、ＴＴＬ（光学長）／ｆ（レンズ系全体の焦点距離）≧１．４９と、小型化には不十分であった。
【先行技術文献】
【特許文献】
【０００４】
【特許文献１】特開２０１８−１３５７９号公報
【発明の概要】
【発明が解決しようとする課題】
【０００５】
本発明の目的は、近赤外光で良好な光学特性を有し、小型で、明るいＦｎｏを有する５枚のレンズで構成される撮像レンズを提供することにある。
【課題を解決するための手段】
【０００６】
上記目的を達成するために、物体側から順に、正の屈折力を有する第１レンズ、負の屈折力を有する第２レンズ、正の屈折力を有する第３レンズ、負の屈折力を有する第４レンズ、負の屈折力を有する第５レンズで構成された撮像レンズで、第１レンズのｄ線の屈折率の範囲、第１レンズの中心厚と撮像レンズ全体の焦点距離の関係、第１レンズのｄ線の屈折率と第１レンズの物体側面の曲率半径と撮像レンズ全体の焦点距離の関係、第１レンズのｄ線の屈折率と第１レンズの像面側面の曲率半径と撮像レンズ全体の焦点距離の関係を鋭意検討した結果、従来技術の課題が改善された撮像レンズを得ることを見出し、本発明に到達した。
【０００７】
請求項１記載の撮像レンズは、物体側から順に、正の屈折力を有する第１レンズ、負の屈折力を有する第２レンズ、正の屈折力を有する第３レンズ、負の屈折力を有する第４レンズ、負の屈折力を有する第５レンズが配置され、且つ、以下の条件式（１）〜（４）を満足する。
１．７５≦ｎｄ１≦１．８４                                              （１）
０．１９５≦ｄ１／ｆ≦０．２１０                                        （２）
０．２００≦（ｎｄ１／Ｒ１）／ｆ≦０．２１０                            （３）
０．０３５≦（ｎｄ１／Ｒ２）／ｆ≦０．０６０                            （４）
但し、
ｎｄ１：第１レンズのｄ線の屈折率
ｄ１：第１レンズの中心厚
ｆ：レンズ系全体の焦点距離
Ｒ１：第１レンズの物体側面の曲率半径
Ｒ２：第１レンズの像面側面の曲率半径
である。
【０００８】
請求項２記載の撮像レンズは、以下の条件式（５）〜（６）を満足することを特徴とする。
０．５０≦ｆ１／ｆ≦０．６０                                          （５）
−１．１０≦ｆ２／ｆ≦−１．００                                      （６）
但し、
ｆ：レンズ系全体の焦点距離
ｆ１：第１レンズの焦点距離
ｆ２：第２レンズの焦点距離
である。
【発明の効果】
【０００９】
本発明によれば、ドライバーモニタリングまたは室内モニタリングに好適な、近赤外光で良好な光学特性を有し、小型で、明るいＦｎｏを有する５枚のレンズで構成される撮像レンズを提供することができる。
【図面の簡単な説明】
【００１０】
【図１】本発明の実施例１の撮像レンズＬＡの概略構成を示す図。
【図２】本発明の実施例１の撮像レンズＬＡの球面収差、像面湾曲、歪曲収差を示す図。
【図３】本発明の実施例２の撮像レンズＬＡの概略構成を示す図。
【図４】本発明の実施例２の撮像レンズＬＡの球面収差、像面湾曲、歪曲収差を示す図。
【図５】本発明の実施例３の撮像レンズＬＡの概略構成を示す図。
【図６】本発明の実施例３の撮像レンズＬＡの球面収差、像面湾曲、歪曲収差を示す図。
【図７】本発明の実施例４の撮像レンズＬＡの概略構成を示す図。
【図８】本発明の実施例４の撮像レンズＬＡの球面収差、像面湾曲、歪曲収差を示す図。
【発明を実施するための形態】
【００１１】
本発明に係る撮像レンズの実施形態について説明する。この撮像レンズＬＡは、物体側から像面側へ向かって順に、第１レンズＬ１、第２レンズＬ２、第３レンズＬ３、第４レンズＬ４、第５レンズＬ５が配置された５枚構成のレンズ系を備えている。第５レンズＬ５と像面との間に、ガラス平板ＧＦが配置される。このガラス平板ＧＦとしては、カバーガラス、及び、各種フィルターなどを想定したものである。本発明において、ガラス平板ＧＦは、異なる位置に配置されてもよく、省略した構成も可能である。
【００１２】
第１レンズＬ１は、正の屈折力を有するレンズであり、第２レンズＬ２は、負の屈折力を有するレンズであり、第３レンズＬ３は、正の屈折力を有するレンズであり、第４レンズＬ４は、負の屈折力を有するレンズであり、第５レンズＬ５は、負の屈折力を有するレンズである。これらの５枚のレンズ面は、諸収差を良好に補正するため、全面を非球面とすることが望ましい。
【００１３】
この撮像レンズＬＡは、以下の条件式（１）〜（４）を満足する。
１．７５≦ｎｄ１≦１．８４                                              （１）
０．１９５≦ｄ１／ｆ≦０．２１０                                        （２）
０．２００≦（ｎｄ１／Ｒ１）／ｆ≦０．２１０                            （３）
０．０３５≦（ｎｄ１／Ｒ２）／ｆ≦０．０６０                            （４）
但し、
ｎｄ１：第１レンズＬ１のｄ線の屈折率
ｄ１：第１レンズＬ１の中心厚
ｆ：レンズ系全体の焦点距離
Ｒ１：第１レンズＬ１の物体側面の曲率半径
Ｒ２：第１レンズＬ１の像面側面の曲率半径
である。
【００１４】
条件式（１）は、第１レンズＬ１のｄ線の屈折率ｎｄ１を規定する。条件式（１）の下限以下では、屈折率が弱くなるために、小型化に好ましくない。一方、上限以上では、正のパワーが強くなりすぎて球面収差、コマ収差の補正が困難となる場合があるために好ましくない。
【００１５】
条件式（２）は、第１レンズＬ１の中心厚ｄ１と撮像レンズＬＡの焦点距離ｆとの関係を規定する式で、条件式（２）の下限以下では、球面収差、コマ収差の補正が困難になりＦｎｏを明るくする点で好ましくない。一方で、上限以上では、小型化に好ましくない。
【００１６】
条件式（３）、（４）を満足することにより、近赤外光で良好な光学特性を有し、小型で、明るいＦｎｏを有する５枚のレンズで構成される撮像レンズを得ることができる。
条件式（３）は、第１レンズＬ１の物体側面の曲率半径Ｒ１の正のパワー配分を規定し、条件式（４）は、第１レンズＬ１の像面側面の曲率半径Ｒ２の負のパワー配分を規定する。条件式（３）、（４）の範囲外では、Ｒ１とＲ２の正、負のパワー配分が最適化されないために、小型化、且つＦｎｏを明るくすることが困難となり、好ましくない。
【００１７】
この撮像レンズＬＡは、以下の条件式（５）、（６）を満足する。
０．５０≦ｆ１／ｆ≦０．６０                                            （５）
−１．１０≦ｆ２／ｆ≦−１．００                                        （６）
但し、
ｆ：レンズ系全体の焦点距離
ｆ１：第１レンズの焦点距離
ｆ２：第２レンズの焦点距離
である。
【００１８】
条件式（５）は、第１レンズＬ１の焦点距離ｆ１とレンズ全系の焦点距離ｆの関係を規定するものである。第１レンズの焦点距離を条件式（５）の範囲内に規定することによって、小型で、球面収差やコマ収差を良好に補正することができる。
【００１９】
条件式（５）の上限以下であれば、第１レンズのパワーが弱くなり過ぎることがなく、小型化が容易になる。一方、下限以上であれば、第１レンズのパワーが強くなり過ぎることがなく、小型化には有利であり、球面収差やコマ収差の補正が容易になる。
【００２０】
条件式（６）は第２レンズＬ２の焦点距離ｆ２とレンズ全系の焦点距離ｆの関係を規定するものである。条件式（６）の下限以上であれば、第２レンズのパワーが不足することがなく、色収差を十分に補正することが容易になる。一方、上限以下であれば、第２レンズのパワーが強くなり過ぎることがなく、球面収差やコマ収差の補正が容易になり、製作時の誤差感度が厳しくなることもない。
【００２１】
撮像レンズＬＡを構成する５枚レンズが、それぞれ前記の構成及び、条件式を満たすことにより、近赤外光で良好な光学特性を有し、ＴＴＬ／ｆ≦１．２５と小型で、明るいＦｎｏを有する撮像レンズを得ることが可能となる。
【００２２】
以下に、本発明の撮像レンズＬＡについて、実施例を用いて説明する。各実施例に記載されている記号は以下のことを示す。なお、距離、半径及び中心厚の単位は、ｍｍである。
ｆ      ：撮像レンズＬＡ全体の焦点距離
ｆ１    ：第１レンズＬ１の焦点距離
ｆ２    ：第２レンズＬ２の焦点距離
ｆ３    ：第３レンズＬ３の焦点距離
ｆ４    ：第４レンズＬ４の焦点距離
ｆ５    ：第５レンズＬ５の焦点距離
Ｆｎｏ  ：Ｆ値
２ω    ：全画角
ＳＴＯＰ：開口絞り
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：ガラス平板ＧＦ１の物体側面の曲率半径
Ｒ１２  ：ガラス平板ＧＦ１の像面側面の曲率半径
Ｒ１３  ：ガラス平板ＧＦ２の物体側面の曲率半径
Ｒ１４  ：ガラス平板ＧＦ２の像面側面の曲率半径
ｄ      ：レンズの中心厚、又は、レンズ間距離
ｄ０    ：開口絞りＳＴＯＰから第１レンズＬ１の物体側面までの軸上距離
ｄ１    ：第１レンズＬ１の中心厚
ｄ２    ：第１レンズＬ１の像面側面から第２レンズＬ２の物体側面までの軸上距離
ｄ３    ：第２レンズＬ２の中心厚
ｄ４    ：第２レンズＬ２の像面側面から第３レンズＬ３の物体側面までの軸上距離
ｄ５    ：第３レンズＬ３の中心厚
ｄ６    ：第３レンズＬ３の像面側面から第４レンズＬ４の物体側面までの軸上距離
ｄ７    ：第４レンズＬ４の中心厚
ｄ８    ：第４レンズＬ４の像面側面から第５レンズＬ５の物体側面までの軸上距離
ｄ９    ：第５レンズＬ５の中心厚
ｄ１０  ：第５レンズＬ５の像面側面からガラス平板ＧＦの物体側面までの軸上距離
ｄ１１  ：ガラス平板ＧＦ１の中心厚
ｄ１２  ：ガラス平板ＧＦ１の像面側面からガラス平板ＧＦの物体側面までの軸上距離
ｄ１３  ：ガラス平板ＧＦ２の中心厚
ｄ１４  ：ガラス平板ＧＦ２の像面側面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：ガラス平板ＧＦ１のｄ線の屈折率
ｎｄ７  ：ガラス平板ＧＦ２のｄ線の屈折率
ν      ：アッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：第５レンズＬ５のアッベ数
ν６    ：ガラス平板ＧＦ１のアッベ数
ν７    ：ガラス平板ＧＦ２のアッベ数
ＴＴＬ  ：光学長（第１レンズＬ１の物体側面から像面までの軸上距離）
ＬＢ    ：第５レンズＬ５の像面側面から像面までの軸上距離（ガラス平板ＧＦの厚みを含む）
【００２３】
ｙ＝（ｘ２／Ｒ）／［１＋｛１−（ｋ＋１）（ｘ２／Ｒ２）｝１／２］
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６    （７）
【００２４】
各レンズ面の非球面は、便宜上、式（７）で表される非球面を使用している。しかしながら、特に、この式（７）の非球面多項式に限定するものでない。
【００２５】
（実施例１）
図１は、実施例１の撮像レンズＬＡの配置を示す構成図である。実施例１の撮像レンズＬＡを構成する第１レンズＬ１〜第５レンズＬ５のそれぞれの物体側面及び像面側面の曲率半径Ｒ、レンズ中心厚又はレンズ間距離ｄ、屈折率ｎｄ、アッベ数νを表１に、円錐係数ｋ、非球面係数を表２に、２ω、Ｆｎｏ、ｆ、ｆ１、ｆ２、ｆ３、ｆ４、ｆ５、ＴＴＬ、ＩＨを表３に示す。
【００２６】
【表１】
0006686240.tif 000002
【００２７】
【表２】
0006686240.tif 000003
【００２８】
【表３】
0006686240.tif 000004
【００２９】
後に登場する表１１は、各実施例１〜４の諸値及び条件式（１）〜（６）で規定したパラメータに対応する値を示す。
【００３０】
実施例１は、表１１に示すように、条件式（１）〜（６）を満足する。
【００３１】
実施例１の撮像レンズＬＡの球面収差、像面湾曲、歪曲収差を図２に示す。なお、図の像面湾曲のＳはサジタル像面に対する像面湾曲、Ｔはタンジェンシャル像面に対する像面湾曲であり、実施例２〜４においても同様である。実施例１の撮像レンズＬＡは、表３に示すように、Ｆｎｏ＝１．８０と明るく、ＴＴＬ／ｆ＝１．２３と小型で、図２に示すように、近赤外光で良好な光学特性を有していることがわかる。
【００３２】
（実施例２）
図３は、実施例２の撮像レンズＬＡの配置を示す構成図である。実施例２の撮像レンズＬＡを構成する第１レンズＬ１〜第５レンズＬ５のそれぞれの物体側面及び像面側面の曲率半径Ｒ、レンズ中心厚又はレンズ間距離ｄ、屈折率ｎｄ、アッベ数νを表４に、円錐係数ｋ、非球面係数を表５に、２ω、Ｆｎｏ、ｆ、ｆ１、ｆ２、ｆ３、ｆ４、ｆ５、ＴＴＬ、ＩＨを表６に示す。
【００３３】
【表４】
0006686240.tif 000005
【００３４】
【表５】
0006686240.tif 000006
【００３５】
【表６】
0006686240.tif 000007
【００３６】
実施例２は、表１１に示すように、条件式（１）〜（６）を満足する。
【００３７】
実施例２の撮像レンズＬＡの球面収差、像面湾曲、歪曲収差を図４に示す。実施例２の撮像レンズＬＡは、表６に示すように、Ｆｎｏ＝１．８１と明るく、ＴＴＬ／ｆ＝１．２２２と小型で、図４に示すように、良好な光学特性を有していることがわかる。
【００３８】
（実施例３）
図５は、実施例３の撮像レンズＬＡの配置を示す構成図である。実施例３の撮像レンズＬＡを構成する第１レンズＬ１〜第５レンズＬ５のそれぞれの物体側面及び像面側面の曲率半径Ｒ、レンズ中心厚又はレンズ間距離ｄ、屈折率ｎｄ、アッベ数νを表７に、円錐係数ｋ、非球面係数を表８に、２ω、Ｆｎｏ、ｆ、ｆ１、ｆ２、ｆ３、ｆ４、ｆ５、ＴＴＬ、ＩＨを表９に示す。
【００３９】
【表７】
0006686240.tif 000008
【００４０】
【表８】
0006686240.tif 000009
【００４１】
【表９】
0006686240.tif 000010
【００４２】
実施例３は、表１１に示すように、条件式（１）〜（６）を満足する。
【００４３】
実施例３の撮像レンズＬＡの球面収差、像面湾曲、歪曲収差を図６に示す。実施例３の撮像レンズＬＡは、表９に示すように、Ｆｎｏ＝１．８０と明るく、ＴＴＬ／ｆ＝１．２３７と小型で、図６に示すように、良好な光学特性を有していることがわかる。
【００４４】
（実施例４）
図７は、実施例４の撮像レンズＬＡの配置を示す構成図である。実施例４の撮像レンズＬＡを構成する第１レンズＬ１〜第５レンズＬ５のそれぞれの物体側面及び像面側面の曲率半径Ｒ、レンズ中心厚又はレンズ間距離ｄ、屈折率ｎｄ、アッベ数νを表１０に、円錐係数ｋ、非球面係数を表１１に、２ω、Ｆｎｏ、ｆ、ｆ１、ｆ２、ｆ３、ｆ４、ｆ５、ＴＴＬ、ＩＨを表１２に示す。
【００４５】
【表１０】
0006686240.tif 000011
【００４６】
【表１１】
0006686240.tif 000012
【００４７】
【表１２】
0006686240.tif 000013
【００４８】
実施例４は、表１３に示すように、条件式（１）〜（６）を満足する。
【００４９】
実施例４の撮像レンズＬＡの球面収差、像面湾曲、歪曲収差を図８に示す。実施例４の撮像レンズＬＡは、表１２に示すように、Ｆｎｏ＝１．８７と明るく、ＴＴＬ／ｆ＝１．２３７と小型で、図８に示すように、良好な光学特性を有していることがわかる。
【００５０】
表１３に、実施例１〜４の条件式（１）〜（６）で規定したパラメータに対応する値、及び、ＴＴＬ／ｆを示す。
【００５１】
【表１３】
0006686240.tif 000014
【００５２】
（付記）
（付記１）
物体側から順に、正の屈折力を有する第１レンズ、負の屈折力を有する第２レンズ、正の屈折力を有する第３レンズ、負の屈折力を有する第４レンズ、負の屈折力を有する第５レンズが配置され且つ、以下の条件式（１）〜（４）を満足することを特徴とする撮像レンズ。
１．７５≦ｎｄ１≦１．８４                                              （１）
０．１９５≦ｄ１／ｆ≦０．２１０                                        （２）
０．２００≦（ｎｄ１／Ｒ１）／ｆ≦０．２１０                            （３）
０．０３５≦（ｎｄ１／Ｒ２）／ｆ≦０．０６０                            （４）
但し、
ｎｄ１：第１レンズのｄ線の屈折率
ｄ１：第１レンズの中心厚
ｆ：レンズ系全体の焦点距離
Ｒ１：第１レンズの物体側面の曲率半径
Ｒ２：第１レンズの像面側面の曲率半径
である。
【００５３】
（付記２）
以下の条件式（５）〜（６）を満足することを特徴とする付記１記載の撮像レンズ。
０．５０≦ｆ１／ｆ≦０．６０                                            （５）
−１．１０≦ｆ２／ｆ≦−１．００                                        （６）
但し、
ｆ：レンズ系全体の焦点距離
ｆ１：第１レンズの焦点距離
ｆ２：第２レンズの焦点距離
である。
【符号の説明】
【００５４】
ＬＡ    ：撮像レンズ
ＳＴＯＰ：開口絞り
Ｌ１    ：第１レンズ
Ｌ２    ：第２レンズ
Ｌ３    ：第３レンズ
Ｌ４    ：第４レンズ
Ｌ５    ：第５レンズ
ＧＦ１  ：ガラス平板１
ＧＦ２  ：ガラス平板２
Ｒ      ：光学面の曲率半径、レンズの場合は中心曲率半径
Ｒ１    ：第１レンズＬ１の物体側面の曲率半径
Ｒ２    ：第１レンズＬ１の像面側面の曲率半径
Ｒ３    ：第２レンズＬ２の物体側面の曲率半径
Ｒ４    ：第２レンズＬ２の像面側面の曲率半径
Ｒ５    ：第３レンズＬ３の物体側面の曲率半径
Ｒ６    ：第３レンズＬ３の像面側面の曲率半径
Ｒ７    ：第４レンズＬ４の物体側面の曲率半径
Ｒ８    ：第４レンズＬ４の像面側面の曲率半径
Ｒ９    ：第５レンズＬ５の物体側面の曲率半径
Ｒ１０  ：第５レンズＬ５の像面側面の曲率半径
Ｒ１１  ：ガラス平板ＧＦ１の物体側面の曲率半径
Ｒ１２  ：ガラス平板ＧＦ１の像面側面の曲率半径
Ｒ１３  ：ガラス平板ＧＦ２の物体側面の曲率半径
Ｒ１４  ：ガラス平板ＧＦ２の像面側面の曲率半径
ｄ      ：レンズの中心厚、又は、レンズ間距離
ｄ１    ：第１レンズＬ１の中心厚
ｄ２    ：第１レンズＬ１の像面側面から第２レンズＬ２の物体側面までの軸上距離
ｄ３    ：第２レンズＬ２の中心厚
ｄ４    ：第２レンズＬ２の像面側面から第３レンズＬ３の物体側面までの軸上距離
ｄ５    ：第３レンズＬ３の中心厚
ｄ６    ：第３レンズＬ３の像面側面から第４レンズＬ４の物体側面までの軸上距離
ｄ７    ：第４レンズＬ４の中心厚
ｄ８    ：第４レンズＬ４の像面側面から第５レンズＬ５の物体側面までの軸上距離
ｄ９    ：第５レンズＬ５の中心厚
ｄ１０  ：第５レンズＬ５の像面側面からガラス平板ＧＦの物体側面までの軸上距離
ｄ１１  ：ガラス平板ＧＦ１の中心厚
ｄ１２  ：ガラス平板ＧＦ１の像面側面からガラス平板ＧＦの物体側面までの軸上距離
ｄ１３  ：ガラス平板ＧＦ２の中心厚
ｄ１４  ：ガラス平板ＧＦ２の像面側面から像面までの軸上距離
ｎｄ    ：ｄ線の屈折率
ｎｄ１  ：第１レンズＬ１のｄ線の屈折率
ｎｄ２  ：第２レンズＬ２のｄ線の屈折率
ｎｄ３  ：第３レンズＬ３のｄ線の屈折率
ｎｄ４  ：第４レンズＬ４のｄ線の屈折率
ｎｄ５  ：第５レンズＬ５のｄ線の屈折率
ｎｄ６  ：ガラス平板ＧＦ１のｄ線の屈折率
ｎｄ７  ：ガラス平板ＧＦ２のｄ線の屈折率
ν      ：アッベ数
ν１    ：第１レンズＬ１のアッベ数
ν２    ：第２レンズＬ２のアッベ数
ν３    ：第３レンズＬ３のアッベ数
ν４    ：第４レンズＬ４のアッベ数
ν５    ：第５レンズＬ５のアッベ数
ν６    ：ガラス平板ＧＦ１のアッベ数
ν７    ：ガラス平板ＧＦ２のアッベ数
【要約】
【課題】近赤外光で良好な光学特性を有し、小型で、明るいＦ値を有する５枚のレンズで構成される撮像レンズの提供。
【解決手段】物体側から順に、正の屈折力を有する第１レンズ、負の屈折力を有する第２レンズ、正の屈折力を有する第３レンズ、負の屈折力を有する第４レンズ、負の屈折力を有する第５レンズが配置され、所定の条件式を満足することを特徴とする撮像レンズ。
【選択図】図１【図１】
0006686240.tif 000015
【図２】
0006686240.tif 000016
【図３】
0006686240.tif 000017
【図４】
0006686240.tif 000018
【図５】
0006686240.tif 000019
【図６】
0006686240.tif 000020
【図７】
0006686240.tif 000021
【図８】
0006686240.tif 000022